(57)【要約】【課題】本発明は、特に、猫背の姿勢により腰椎前弯（腰部の前弯）が失われることに着目し、高齢者や背骨の一部が骨折した人であっても、身体に負担をかけることなく、着座して座板を前後に動作するだけで腰椎前弯を取り戻すことにより腰痛を緩和でき、構造が単純でかつ製造コストが低減できる椅子を提案することを課題とする。【解決手段】上記問題を解決するために、本発明に係る腰痛緩和椅子１００は、使用者の尻部を載せ前後に摺動可能に形成された座板１１１と、座板１１１を支持し後方に向かってやや傾斜する座受け部１１２とからなる座部１１０と、該使用者の背を受ける背当て部１２０と、を備える椅子であって、背当て部１２０は、使用者の腰椎上方近傍方向に突出する凸部１２２ａ、１２２ｂを備えることを特徴とする。【選択図】図１
2016077388.tif 000002
【特許請求の範囲】
【請求項１】
使用者の尻部を載せ前後に摺動可能に形成された座板と前記座板を支持し後方に向かってやや傾斜する座受け部材とからなる座部と、該使用者の背を受ける背当て部と、を備える椅子であって、
前記背当て部は、前記使用者の腰椎上方近傍方向に突出する凸部を備えることを特徴とする腰痛緩和椅子。
【請求項２】
前記凸部は、緩衝材により形成されることを特徴とする請求項１に記載の腰痛緩和椅子。
【請求項３】
前記凸部は、突出方向に曲面を有する硬質の台板と、前記台板上に半硬質フォームの緩衝材とで、軟質フォーム中材を挟装して形成されることを特徴とする請求項１又は２に記載の腰痛緩和椅子。
【請求項４】
前記使用者が着座した際、前記使用者の両方の足の裏に当接して、前記足の裏を脛に対して所定の角度に保持する踏み板を備えることを特徴とする請求項１ないし３のいずれかに記載の腰痛緩和椅子。
【請求項５】
さらに、前記背当て部は、前記使用者の肩甲骨を支持する肩甲骨支持部材を備えることを特徴とする請求項１ないし４のいずれかに記載の腰痛緩和椅子。
【請求項６】
前記背当て部は、前記肩甲骨支持部材を上下に位置調整ができる調整部材を備えることを特徴とする請求項５に記載の腰痛緩和椅子。
【請求項７】
前記座受け部は、把手を備えることを特徴とする請求項１ないし６のいずれかに記載の腰痛緩和椅子。
【請求項８】
前記座受け部は、前記使用者の両脇又は肘を支持する脇肘支持部材を備えることを特徴とする請求項１ないし７のいずれかに記載の腰痛緩和椅子。
【請求項９】
前記座受け部は、前記脇肘支持部材を上下に位置調整ができる高さ調整部材を備えることを特徴とする請求項８に記載の腰痛緩和椅子。
【請求項１０】
前記座受け部は、前記使用者の下腕を戴置する下腕支持板と該支持板を支持し上下に位置調整できる高さ調整部材とを備え、下腕支持板は後方にやや傾斜し、該高さ調整部材に着脱可能に配設されていることを特徴とする請求項１ないし７のいずれかに記載の腰痛緩和椅子。
【請求項１１】
前記座板は、底面に摺動に係る縮み方向の減衰力と伸び方向の減衰力を制御するショックアブソーバを備え、前記座受け部の後部に架けた笠木部材に着脱自在に固定したことを特徴とする請求項１ないし１０のいずれかに記載の腰痛緩和椅子。  
【発明の詳細な説明】
【技術分野】
【０００１】
本発明は、使用者がストレッチを行うことで腰痛を緩和することができる腰痛緩和椅子に関する。
【背景技術】
【０００２】
脊椎（背骨）はＳ字状に湾曲し、その中心に脊髄神経が通っている。背骨はスプリングのはたらきをして重力の負担を軽減し、椎間板という軟骨がクッションのはたらきをすることによって身体を支えている。現代社会では、運動不足、長時間のデスクワーク、あるいは加齢によって、体を支えている脊椎や椎間板の病的な変化が原因で腰痛を発症することがある。特に、運動不足、長時間のデスクワーク、あるいは加齢によって、多くの人が腰に負担のかかる生活スタイルを送っている。例えば、椅子やソファーに座って読書を行ったり、掃除機をかけたり、洗い物をしたり、あぐらや横座りをしたりすることで、自然に猫背になっている現状がある。猫背は背中や腰が丸まっている姿勢であるが、このことが脊椎（背骨）のＳ字状の湾曲の特に腰のくびれの弯曲、すなわち腰椎前弯を失っている姿勢を指すのである。このような猫背を続けていると、腰の骨の一部が外側にずれたり、骨と骨との間の椎間板が狭くなり傷ついたりすることにより腰痛が生じると考えられる。腰椎前弯を取り戻す手段としては、姿勢を正しくする運動が一般に知られている。椅子に腰をかけた状態で胸を斜め上４５°の角度に上げ、そこから猫背の姿勢にして保持し、ゆっくり胸を斜め上に引き上げる運動である。
【０００３】
腰痛を治療する方法は特に有効なものはなく、一般に知られる手段としては、下半身の牽引、コルセットの装着、腹筋や背筋増強のための運動、薬、外科的治療、腰を温めるあるいは冷やす療法が知られている。一方、腰痛を緩和したり予防したりする装置は数多く提案されている。特許文献１に係る発明は、床上に戴置された支台上に支柱を立設し、高さが調整できる調整部を介して座席とパッドを設けた腰痛治療器具を提案している。該腰痛治療器具によると、胸部の脇の下と、肋骨の下と肋骨の間を締め付ける柔軟なマット状のパッドを前合わせで患者の胴部に巻き付けた後に患者を締め付けで固定し、さらに座席のロックを解除して患者を吊り下げることにより、腰椎骨を延ばして治療するものである。また、特許文献２に係る発明は、肩甲骨の自由度に注目して背もたれに工夫を凝らした椅子を提案している。該椅子は、背もたれユニットの一部分をくり抜くか若しくは陥没させて、脊柱起立筋群等の直接的な圧迫を回避することにより、肩こりや腰痛等を軽減するものである。
【先行技術文献】
【特許文献】
【０００４】
【特許文献１】特開２０００−２２５１３７号公報
【特許文献２】特開平８―１１７０５７号公報
【発明の概要】
【発明が解決しようとする課題】
【０００５】
ところが、特許文献１に係る腰痛治療器具は、自らの体重を利用して湾曲した腰椎骨を矯正するため、身体を締め付けた部分に過度の負担がかかり、負担がかかる割には治療効果を十分に満たすことができない。さらに、該腰痛治療器具は装置が大掛かりで複雑な構造であるため、移動させることも困難であるため、家庭での使用に適していない。特許文献２に係る椅子は、構造が単純ではあるものの、筋肉を休息させるにとどまり、治療効果を十分に満たすことはできない。またさらに、前述した姿勢を正しくする運動が単純なものであったとしても、一般の人が持続することは通常困難であり、特に高齢者や病人には難しい。また、腰椎前弯を取り戻すことができる用具はほとんどない。
【０００６】
そこで、本発明は、特に、猫背の姿勢により腰椎前弯（腰部の前弯）が失われることに着目し、高齢者や背骨の一部が骨折した人であっても、身体に負担をかけることなく、着座して座板を前後に動作するだけで腰椎前弯を取り戻すことにより腰痛を緩和でき、構造が単純でかつ製造コストが低減できる椅子を提案することを課題とする。
【課題を解決するための手段】
【０００７】
本発明に係る腰痛緩和椅子は、使用者の尻部を載せ前後に摺動可能に形成された座板と、座板を支持し後方に向かってやや傾斜する座受け部とからなる座部と、該使用者の背を受ける背当て部と、を備える椅子であって、背当て部は、使用者の腰椎上方近傍方向に突出する凸部を備えることを特徴とする。なお、凸部は、緩衝材、例えば、突出方向に曲面を有する硬質の台板と、前記台板上に半硬質フォームの緩衝材とで、軟質フォーム中材を挟装して形成されるようにするとよい。また、背当て部は、肩甲骨を支持する肩甲骨支持部材を備え、さらに該肩甲骨支持部材を上下に位置調整ができる調整部材を備えると使用者の座高に合わせることが可能になる。さらに、使用者が着座した際、使用者の両方の足の裏に当接して、足の裏を脛に対して所定の角度に保持する踏み板を備えると、座板の摺動が容易になる。また、座受け部に把手を備えると、使用者は両手で外把手を掴んで座板の摺動を容易にできる。さらに、把手の代わりに、使用者の両脇又は両肘を支持する脇肘支持部材を備えても同様の効果がある。また、別の形態として、座受け部は、使用者の下腕を戴置する下腕支持板と該支持板を支持し上下に位置調整できる高さ調整部材とを備え、下腕支持板が後方にやや傾斜しかつ該高さ調整部材に着脱可能に配設するような構造にしても、使用者は座板を摺動しやすく前弯の引き戻しが容易となり、腰痛緩和に効果がある。
【０００８】
なお、座板は、底面に摺動に係る縮み方向の減衰力と伸び方向の減衰力を制御するショックアブソーバを備え、前記座受け部の後部に架けた笠木部材に着脱自在に固定すると、脚力の弱った高齢者等が座板を摺動する際、足首、膝、股関節、腰に負荷がかかることで筋力をつけることが可能になり、結果として腰痛防止につながる。
【発明の効果】
【０００９】
本発明に係る腰痛緩和椅子によれば、使用者は着座して座板を前後に動作するだけで腰痛を緩和することができる。また、肩甲骨を肩甲骨支持部材に戴置し体重の一部を負荷することで、より腰痛を緩和することが容易になる。またさらに、構造が簡易で製造コストを低減でき、移動も容易である。
【図面の簡単な説明】
【００１０】
【図１】本発明の実施例１に係る腰痛緩和椅子の全体構成を示す斜視図である。
【図２】図１に係る腰痛緩和椅子を使用する様子を示す右側面図である。
【図３】図１に係る腰痛緩和椅子を使用状況において、使用者の腰椎と骨盤の動きを示す図である。
【図４】本発明の実施例１に係る腰痛緩和椅子の座板のスライド構造を示す底面図である。
【図５】本発明の実施例１に係る腰痛緩和椅子の座板の脱着式ショックアブゾーバを示す底面図である。
【図６】本発明の実施例２に係る腰痛緩和椅子の概要を示す斜視図である。
【図７】図６に係る腰痛緩和椅子を使用した使用者が脇を脇肘支持部材に戴置した様子を示す右側面図である。
【図８】図６に係る腰痛緩和椅子を使用した使用者が肘を脇肘支持部材に戴置した様子を示す右側面図である。
【図９】本発明の実施例３に係る腰痛緩和椅子の概要を示す斜視図である。
【図１０】図９に示す腰痛緩和椅子の変形形態を示す斜視図である。
【図１１】図９又は１０に係る腰痛緩和椅子を使用した使用者が下腕を下腕支持部材に戴置した様子を示す右側面図である。
【発明を実施するための形態】
【００１１】
以下、本発明の実施例を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施例に限られるものではない。
【００１２】
なお、本願出願人は、先に出願し登録となった考案（実用新案登録第３１８８１３７号）において、肩甲骨に注目した腰痛緩和椅子を提案している。この考案は、肩甲骨を引き上げて支持することにより、腰部にかかる上半身の体重の負担を軽減し、かつ肩甲骨を牽引する筋肉が弛緩することで脊椎を直立させ、脊椎の歪みを是正し、体重の負担で押しつぶされた椎間板が開放されることに注目して考案されたものである。また、体を支える脊椎は、頸椎、胸椎、腰椎、仙骨で構成されているが、五個ある腰椎を前後に揺らしながら、腰椎を下方向に伸ばすことができれば腰痛は緩和されることにも注目したものであるが、本発明は、さらに、腰椎前弯の引き戻しが腰痛緩和に効果があることに着目した。
【実施例１】
【００１３】
実施例１を図面を参照して詳細に説明する。図１は、本発明の実施例１に係る腰痛緩和椅子１の全体構成を示す斜視図である。また、図２は、図１に係る腰痛緩和椅子を使用する様子を示す右側面図である。図３は、図１に係る腰痛緩和椅子を使用状況において、使用者の腰椎と骨盤の動きを示す図である。図４は、本発明の実施例１に係る腰痛緩和椅子の座板のスライド構造を示す底面図である。図５は、本発明の実施例１に係る腰痛緩和椅子の座板のスライドショックアブゾーバを示す底面図である。
【００１４】
まず、腰痛緩和椅子１００の全体構成を説明する。図１に示すとおり、本発明の腰痛緩和椅子１００は、大別すると、使用者Ｈの尻部を載せる座板１１１及び該座板１１１を支持する座受け部１１２とからなる座部１１０と、該使用者Ｈの背を受ける背当て部１２０と、座部１１０及び背当て部１２０とを支持する脚部１３０とを備える。本発明において最も重要な構成要素であり特徴部分である背当て部１２０は、該使用者Ｈの肩甲骨Ｋを支持する肩甲骨支持部材１２１と、使用者Ｈが腰痛緩和椅子１００に着座したとき、使用者Ｈの腰椎上方近傍方向に突出する凸部１２２とを備える。また、脚部１３０は、座受け部１１２を支持する二本の前脚を有する前脚部１３３と、二本の後脚を有する後脚部１３４とを備えている。さらに、剛性を高めるため、二本の前脚１３３の間には前台輪１３５、二本の後脚１３４の間には後台輪１３６を渡している。
【００１５】
次に、背当て部１２０を詳細に説明する。背当て部１２０は、一般的には背もたれに該当する部分である。上述したとおり、背当て部１２０は、該使用者Ｈの肩甲骨Ｋを支持する肩甲骨支持部材１２１と、使用者Ｈが腰痛緩和椅子１００に着座したとき、使用者Ｈの腰椎上方近傍方向に突出する凸部１２２とを備える。より詳細には、肩甲骨支持部材１２１は、使用者の肩甲骨を支持する支持部材１２１ａと、支持部材１２１ａを支持する笠木部材１２１ｂとから構成されている。なお、笠木部材１２１ｂは、背受け部１２０の上板又は上枠に該当するものである。一方、凸部１２２は、使用者Ｈが腰痛緩和椅子１００に着座したとき、使用者Ｈの腰椎上方近傍方向に突出しているが、実施例１においては、支持部材１２１ａを支持する笠木部材１２１ｂの少し下方に、背受け枠１２３ａ、１２３ｂとの間に所望の間隔で二枚の支持板１２４、１２５を渡し、さらに該支持板１２４、１２５との間に正面方向に曲面の突起を形成するように背受け部１２０に備えられる。より詳細には、支持板１２４、１２５の中央に二枚の金属板を側面視で水平方向に略Ｕ字形状に曲げて渡して固定し、該金属板の上に硬質フォーム又は軟質フォームを貼り付けてもよいし、その両方を張り合わせて重層にしてもよい。ここで、軟質フォームとは、軟質ウレタン、ポリ塩化ビニール等を指し、半硬質フォームとは、硬質ポリウレタン、フェノール、エポキシ樹脂、ゴム等をいう。なお、凸部１２２の外層を半硬質フォームとし、中材を軟質フォームとすると好適である。腰椎Ｌにあてがわれた緩衝材が半硬質であることに起因し、腰椎Ｌを強く押圧するよう作用し、他方中材が軟質フォームであることに起因し、腰椎Ｌへの押圧力を緩衝するように作用する。なお、凸部１２２は、テニスボールのような弾性鞠又は円筒体を支軸で回転自在に支持するように形成してもよい。
【００１６】
座受け部材１１２は、座板１１１を支持し後方に向かってやや傾斜し、背当て部１２０、前脚部１３３、後脚部１３４に連結している。座受け部材１１２が後方に向かってやや傾斜するのは、座板１１１に着座した使用者Ｈの上半身の体重の一部を背当て部１２０側に逃がして、腰部への負担を軽減するためであり、傾斜角度は３〜５度程度が好適である。使用者Ｈが脱座するときに大きな負担とならないよう、傾斜角度は必要以上に大きくならないようにすることが必要である。また、座受け部材１１２は、上面の所望の位置に把手１１３ａ、１１３ｂを備えている。把手１１３ａ、１１３ｂを使用者Ｈが両手で掴むことで、座板１１１の摺動を容易にする。
【００１７】
図４を参照する。図４は、本発明の実施例１に係る腰痛緩和椅子１００の座板１１１のスライド構造を示す底面図である。座板１１１は略矩形の板であり、底面左右の縁にわたって金属製のアングルを長方形状に溶接して二つのレール１１６ａ、１１６ｂを取り付けている。座板１１１の底面に座板１１１を前後に摺動可能に保持するローラ１１５が各レール１１６ａ、１１６ｂに対して二つずつ左右の座受け部材１１２ａ、１１２ｂを渡すようにそれらの側面に軸支されている。座板１１１は、前後方向に座受け部１１２から外れないように、二本のストッパ１１７ａ、１１７ｂを備える。該二本のストッパ１１７ａ、１１７ｂは、二本のレール１１６ａ、１１６ｂに並行して、ローラ１１５の支軸を跨ぐように固定するとよい。図４（ａ）（ｂ）は、それぞれ通常状態、伸長状態を示す図である。
【００１８】
座板１１１は、略同一形状の上板１１１ａと下板１１１ｂの二枚の板部材により構成されてもよい（図示しない）。上板１１１ａは、底面の略中央に下に向かって開口した凹部１１８ａを設け、下板１１１ｂは、上面の略中央に半球状の凹部１１８ｂを設ける。上板の凹部１１８ａと下板の凹部１１８ｂとの間に、両者の凹部１１８ａ、１１８ｂの深さの和よりもやや大きい直径を有する球状体が回転自在に収納されるようにしてもよい。このような構造にすることにより、座板１１１を前後方向、左右方向への微搖動が可能になる。
【００１９】
座受け部１１２、前脚部１３３、後脚部１３４、並びに背当て部１２０の部材は薄肉鉄パイプ又はステンレスパイプ等で構成するとよい。座板１１１は、木板、金属板、又は樹脂板等を用いることができ、表面にウレタン材や布を使用してクッションを設けるようにしてもよいし、凹凸溝の滑り止めを設けてもよい。
【００２０】
再度、図１を参照する。脚部１３０は、前脚１３３の底から前方に延伸させた板状部材１３７ａ、１３７ｂの先端に足戴置部材１３２を配設する。足戴置部材１３２は、使用者Ｈが椅子１１０に着座した際、足裏が届く位置に設けられる。使用者Ｈは、着座した際、足裏を足戴置部材１３２にかけ、当該足戴置部材１３２を支点にして尻部を前後に動かすことにより座板１１１を摺動させることが容易になる。
【００２１】
図５を参照する。図５は、本発明の実施例１に係る腰痛緩和椅子１００の座板１１１の脱着式ショックアブゾーバ１４１を示す底面図である。座板１１１は、底面に脱着式ショックアブゾーバ１４１を備えている。脱着式ショックアブゾーバ１４１は、座板１１１の底面と、座板１１１の後ろで両方の座受け部１１２ａ、１１２ｂに渡された笠木部材１１９との間に着脱自在に設けてもよい。図５に示すように、脱着式ショックアブゾーバ１４１は、外筒と内筒の二重構造の複筒式ショックアブゾーバを示している。複筒式ショックアブゾーバの機構は、ピストンロッドの伸縮によって、オイルが内筒の底部に設けられたベースバルブを通って内筒を出入りし、ピストンロッドが進入した体積分のオイルは内筒から押し出されて内筒と外筒の空間に導かれるものである。複筒式は縮み方向の減衰力と、伸び方向の減衰力を別のバルブで制御し、縮む際はベースバルブ、伸びる際はピストンに設けられたピストンバルブで制御される。また、脱着式ショックアブゾーバ１４１は、バネ等の弾性体が弾性変形することで衝撃を吸収する機構を使用してもよい。このような脱着式ショックアブゾーバ１４１を設けることにより、脚力の弱った高齢者等が腰痛緩和椅子１００を使用し座板を摺動すると、足首、膝、股関節、腰に負荷がかかることで筋力をつけることが可能になり、結果として腰痛防止につながる。
【００２２】
次に、図２と３を参照しながら、実施例１の腰痛緩和椅子１００を使用して、腰痛を緩和する方法を説明する。図２は、図１に係る腰痛緩和椅子１００を使用する様子を示す右側面図である。図３は、図１に係る腰痛緩和椅子１００の使用状況において、使用者Ｈの腰椎Ｌと骨盤Ｍの動きを示す図である。より詳細には、図２（ａ）は、本発明の実施例１に係る腰痛緩和椅子１００に使用者Ｈが着座して肩甲骨Ｋを肩甲骨支持部材１２１に戴置し、腰に凸部１２２を押圧している様子を示す図で、（ｂ）は座板１１１を前方向に摺動した状態を示す図である。まず、使用者Ｈは、腰痛緩和椅子１００に腰を下ろし臀部を座板１１１に戴置し、背を背受け部１２０にもたれ掛るように座り、足裏を足戴置部材１３２に載せる。次に、肩甲骨Ｋを肩甲骨支持部材１２１に戴置し、体重の一部を預ける。そうすると、肩甲骨Ｋは上方に持ち上げられて「上方回旋」という動きをし、さらに肩甲骨Ｋ全体が上の方にスライドする「挙上」という動きが加わる。この状態で、肩の周りの筋肉はどれも弛緩状態になる。肩甲骨Ｋを引き上げて支持することにより、腰部にかかる上半身の体重の負担を軽減し腰部がやや浮き、かつ肩甲骨Ｋを牽引する筋肉が弛緩することで脊椎がやや直立することとなる。この状態で、使用者Ｈは両手で把手１１３ａ（図示しない）、１１３ｂを掴み、座板１１１を前方向に摺動する（図２（ａ））。そして、後ろ方向に座板１１１を摺動する（図２（ｂ））。凸部１２２に腰椎Ｌの上方を軽く押しながら、腰部を前後に搖動させると、脊椎の歪みや、体重で圧迫されていた椎間板を開放することとなる。
【００２３】
図２に示した使用者Ｈの姿勢から、腰椎Ｌと骨盤Ｍの動きを示した図が図３である。図３の（ａ）は、本発明の実施例１に係る腰痛緩和椅子１００に使用者Ｈが着座して肩甲骨Ｋを肩甲骨支持部材１２１に戴置し、腰に凸部１２２を押圧している様子を示す図で、（ｂ）は座板１１１を前方向に摺動した状態を示し、（ｃ）は座板１１１を後ろ方向に摺動して、腰に凸部１２２を押圧した状態を示している。上述した肩甲骨Ｋの作用に合わせて、腰椎Ｌと骨盤Ｍが座板１１１の摺動により変化する。すなわち、図３（ｂ）の使用者Ｈの姿勢を見ると、腰椎Ｌは後傾し骨盤Ｌも後傾している。一方、図３（ｃ）の使用者Ｈの姿勢においては、座板１１１を後方に摺動することにより、凸部１２２が腰椎Ｌの上方部分に押し当てることにより、腰椎Ｌ及び骨盤Ｍが前傾して正しい姿勢、すなわち腰椎前弯の姿勢となるのである。したがって、座板１１１の摺動を長時間継続することによって腰椎前弯を回復しうるのである。このような腰椎前弯の回復が腰痛緩和に効果があると思われる。
【実施例２】
【００２４】
実施例２を図面を参照して詳細に説明する。
【００２５】
図６は、本発明の実施例２に係る腰痛緩和椅子２００の概要を示す斜視図である。図７は、図６に係る腰痛緩和椅子を使用した使用者が脇を脇肘支持部材に戴置した様子を示す右側面図である。図８は、図６に係る腰痛緩和椅子を使用した使用者が肘を脇肘支持部材に戴置した様子を示す右側面図である。
【００２６】
まず、図６を参照しながら、腰痛緩和椅子２００の全体構成を簡単に説明する。実施例１と同様に、本発明の腰痛緩和椅子２００は、大別すると、使用者Ｈの尻部を載せる座板２１１及び該座板２１１を支持する座受け部２１２とからなる座部２１０と、該使用者Ｈの背を受ける背当て部２２０と、座部２１０及び背当て部２２０とを支持する脚部２３０とを備える。本発明において最も重要な構成要素であり特徴部分である背当て部２２０は、該使用者Ｈの肩甲骨Ｋを支持する肩甲骨支持部材２２１と、使用者Ｈが腰痛緩和椅子２００に着座したとき、使用者Ｈの腰椎上方近傍方向に突出する凸部２２２とを備える。また、脚部２３０は、座受け部２１２を支持する二本の前脚を有する前脚部２３３と、二本の後脚を有する後脚部２３４とを備えている。さらに、剛性を高めるため、二本の前脚２３３の間には前台輪２３５、二本の後脚２３４の間には後台輪２３６を渡している。
【００２７】
座受け部材２１２は、座板２１１を支持し後方に向かってやや傾斜し、背当て部２２０、前脚部２３３、後脚部２３４に連結している。座受け部材２１２が後方に向かってやや傾斜するのは、座板２１１に着座した使用者Ｈの上半身の体重の一部を背当て部２２０側に逃がして、腰部への負担を軽減するためであり、傾斜角度は３〜５度程度が好適である。使用者Ｈが脱座するときに大きな負担とならないよう、傾斜角度は必要以上に大きくならないようにすることが必要である。また、座受け部材２１２は、上面の所望の位置から上方に支持部材２１５を延伸させ脇肘支持部材２１４を備えている。脇肘支持部材２１４ａ、２１４ｂに使用者Ｈが脇や肘を載せることで、座板２１１の摺動を容易にする。実施例２に係る腰痛緩和椅子２００は、実施例１の腰痛緩和椅子１００の変形例であり、実施例１と実施例２の差異は、脇肘支持部材２１４の有無のみの違いで、これ以外は実質的に同一であるため、重複する構成部分の詳細な説明は省略する。なお、脇肘支持部材２１４は、支持部材２１５の高さを長くして脇を戴置できるようにしてもよいし、短くして肘を戴置できるように調整するとよい。
【００２８】
次に、図７を参照しながら、実施例２の腰痛緩和椅子２００を使用して、腰痛を緩和する方法を説明する。より詳細には、図７（ａ）は、本発明の実施例２に係る腰痛緩和椅子２００に使用者Ｈが着座して肩甲骨Ｋを肩甲骨支持部材２２１に戴置し、脇を脇肘支持部材２１４ａ、２１４ｂに載せ腰に凸部２２２を押圧している様子を示す図で、（ｂ）は座板２１１を前方向に摺動した状態を示す図である。使用者Ｈの腰椎Ｌと骨盤Ｍの動きは、図３に示す実施例１と同様であるので、省略する。
【００２９】
図８を参照しながら、実施例２の腰痛緩和椅子２００を使用して、腰痛を緩和する方法を説明する。より詳細には、図８（ａ）は、本発明の実施例２に係る腰痛緩和椅子２００に使用者Ｈが着座して肩甲骨Ｋを肩甲骨支持部材２２１に戴置し、肘を脇肘支持部材２１４ａ、２１４ｂに載せ腰に凸部２２２を押圧している様子を示す図で、（ｂ）は座板２１１を前方向に摺動した状態を示す図である。使用者Ｈの腰椎Ｌと骨盤Ｍの動きは、図３に示す実施例１と同様であるので、省略する。
【実施例３】
【００３０】
実施例３を図面を参照して詳細に説明する。
【００３１】
図９は、本発明の実施例３に係る腰痛緩和椅子３００の概要を示す斜視図である。図１０は腰痛緩和椅子３００の変形形態３０１を示す斜視図である。図１１は、図９に係る腰痛緩和椅子３００を使用する様子を示す右側面図である。
【００３２】
まず、図９を参照しながら、腰痛緩和椅子３００の全体構成を簡単に説明する。実施例１、２と同様に、本発明の腰痛緩和椅子３００は、大別すると、使用者Ｈの尻部を載せる座板３１１及び該座板３１１を支持する座受け部３１２とからなる座部３１０と、該使用者Ｈの背を受ける背当て部３２０と、座部３１０及び背当て部３２０とを支持する脚部３３０とを備える。本発明において最も重要な構成要素であり特徴部分である背当て部３２０は、使用者Ｈが腰痛緩和椅子３００に着座したとき、使用者Ｈの腰椎上方近傍方向に突出する凸部３２２を備える。また、脚部３３０は、座受け部３１２を支持する二本の前脚を有する前脚部３３３と、二本の後脚を有する後脚部３３４とを備えている。さらに、剛性を高めるため、二本の前脚３３３の間には前台輪３３５、二本の後脚３３４の間には後台輪３３６を渡している。
【００３３】
座受け部材３１２は、座板３１１を支持し後方に向かってやや傾斜し、背当て部３２０、前脚部３３３、後脚部３３４に連結している。座受け部材３１２が後方に向かってやや傾斜するのは、座板３１１に着座した使用者Ｈの上半身の体重の一部を背当て部３２０側に逃がして、腰部への負担を軽減するためであり、傾斜角度は３〜５度程度が好適である。使用者Ｈが脱座するときに大きな負担とならないよう、傾斜角度は必要以上に大きくならないようにすることが必要である。また、座受け部材３１２は、上面の所望の位置から上方に高さ調整支持部材３１４を延伸させ下腕支持板３１５を備えている。下腕支持板３１５に使用者Ｈが下腕を載せることで、座板３１１の摺動を容易にする。実施例３に係る腰痛緩和椅子３００は、実施例２の腰痛緩和椅子２００の変形例であり、実施例２と実施例３の差異は、脇肘支持部材２１４と下腕支持板の違いで、これ以外は実質的に同一であるため、重複する構成部分の詳細な説明は省略する。なお、図１１に示すように、下腕支持板３１５が後方に向かってやや傾斜している。これは、座板３１１に着座した使用者Ｈの上半身をやや前方に傾けた際、下腕を下腕支持板３１５に載せやすくするためであり、傾斜角度は５〜６度程度が好適である。また、高さ調整部材３１４ａ、３１４ｂに着脱可能に配設される。下腕支持板３１５の着脱機構は高さ調整部材３１４ａ、３１４ｂのいずれかにヒンジで開閉自在に固定されてもよいし、高さ調整部材３１４ａ、３１４ｂの上端部に嵌め込むことができるよう、該上端部に当接する下腕支持板３１５の底面に凹部を配設してもよい。さらに、図１０を参照すると、腰痛緩和椅子３００の変形形態として、腰痛緩和椅子３０１の下腕支持板３１６を、実施例２で示した脇肘支持部材と図９で示した下腕支持板３１５を合体させてコの字形状に形成してもよい。
【００３４】
次に、図１１を参照しながら、実施例３の腰痛緩和椅子３００を使用して、腰痛を緩和する方法を説明する。より詳細には、図１１（ａ）は、本発明の実施例３に係る腰痛緩和椅子３００に使用者Ｈが着座して、下腕を下腕支持板３１５に載せ腰に凸部３２２を押圧している様子を示す図で、（ｂ）は座板３１１を前方向に摺動した状態を示す図である。使用者Ｈの腰椎Ｌと骨盤Ｍの動きは、図３に示す実施例１と同様であるので、省略する。
【００３５】
以上、本発明に係る腰痛緩和椅子における好ましい実施形態を図示して説明してきたが、本発明の技術的範囲を逸脱することなく種々の変更が可能であることは理解されるであろう。
【産業上の利用可能性】
【００３６】
本発明に係る腰痛緩和椅子は、構造が簡易であり軽量であるので、家庭用として広く利用することができる。
【符号の説明】
【００３７】
１００  ２００  ３００  ３０１  腰痛緩和椅子
１１０  ２１０  ３１０  座部
１１１  ２１１  ３１１  座板
１１２  ２１２  ３１２  座受け部材
１１３ａ  １１３ｂ  把手
１２０  ２２０  ３２０  背当て部
１２１  ２２１  肩甲骨支持部材
１２２ａ  １２２ｂ  凸部（緩衝部材）
２２２ａ  ２２２ｂ  ３２２ａ  ３２２ｂ  凸部（緩衝部材）
１３０  ２３０  脚部
１３１  ２３１  脚
１３２  ２３２  足戴置部材
２１４  脇肘支持部材
３１５  ３１６  下腕支持板
１４１  脱着式ショックアブゾーバ
Ｈ  使用者
Ｋ  肩甲骨
Ｌ  腰椎
Ｍ  骨盤
【図１】
2016077388.tif 000003
【図２】
2016077388.tif 000004
【図３】
2016077388.tif 000005
【図４】
2016077388.tif 000006
【図５】
2016077388.tif 000007
【図６】
2016077388.tif 000008
【図７】
2016077388.tif 000009
【図８】
2016077388.tif 000010
【図９】
2016077388.tif 000011
【図１０】
2016077388.tif 000012
【図１１】
2016077388.tif 000013